(57)【要約】【課題】ストレッチャ間での遺体などの身体の移し替え作業を軽減することが可能な身体搬送装置の提供。【解決手段】身体としての遺体が積載される遺体積載トレー１であり、昇降装置に係合される穴１２を有する遺体積載トレー１と、遺体積載トレー１が着脱可能に載置されるトレー受け台２０を有するストレッチャ２とを含み、別のストレッチャ２に移し替える際には、遺体積載トレー１の穴１２に昇降装置を係合し、この昇降装置により遺体積載トレー１を上昇させてトレー受け台２０から外し、別のストレッチャ２上で昇降装置により遺体積載トレー１を下降させ、別のストレッチャ２のトレー受け台２０に載置する。【選択図】図１
2012095732.tif 000002
【特許請求の範囲】
【請求項１】
身体が積載される身体積載トレーであり、昇降装置に係合される係合部を有する身体積載トレーと、
前記身体積載トレーが着脱可能に載置されるトレー受け台を有するストレッチャと
を含む身体搬送装置。
【請求項２】
前記昇降装置を含み、
前記昇降装置は、昇降するアームと、前記身体積載トレーの係合部に係合されて前記アームに前記身体積載トレーを吊り下げる吊下体とを有するものである請求項１記載の身体搬送装置。
【請求項３】
前記身体積載トレーの係合部は、前記身体積載トレーの周縁部に形成された穴であり、
前記吊下体の下端部は、前記穴に係合可能なフックである
請求項２記載の身体搬送装置。
【請求項４】
前記身体積載トレーは、解剖台上に載置可能である請求項１から３のいずれかに記載の身体搬送装置。
【発明の詳細な説明】
【技術分野】
【０００１】
本発明は、遺体や患者等の身体を搬送するための身体搬送装置に関する。
【背景技術】
【０００２】
病理解剖や法医解剖等は解剖室にて行われ、遺体は外部から解剖室までストレッチャによって運ばれてくるが、バイオハザード対策のためにストレッチャは外部から解剖室内に入ることができない。そのため、解剖室の前室や準備室等において、遺体は外部用のストレッチャから解剖室用のストレッチャへ移し替えが行われる。この移し替え作業は重労働であり、軽減することが望まれている。
【０００３】
従来、例えば特許文献１に記載のようにバイオハザードの危険性を低減するための解剖台およびその解剖台を用いた解剖装置の開発等は行われているが、上記のような外部用のストレッチャから解剖室用のストレッチャへの移し替え作業の軽減対策は行われていないのが現状である。
【先行技術文献】
【特許文献】
【０００４】
【特許文献１】特開２００１−６１９０９号公報
【発明の概要】
【発明が解決しようとする課題】
【０００５】
そこで、本発明においては、ストレッチャ間での遺体などの身体の移し替え作業を軽減することが可能な身体搬送装置を提供することを目的とする。
【課題を解決するための手段】
【０００６】
本発明の身体搬送装置は、身体が積載される身体積載トレーであり、昇降装置に係合される係合部を有する身体積載トレーと、身体積載トレーが着脱可能に載置されるトレー受け台を有するストレッチャとを含むものである。
【０００７】
本発明の身体搬送装置では、身体は身体積載トレーに積載された状態でストレッチャのトレー受け台に載置されている。そして、別のストレッチャに移し替える際には、身体積載トレーの係合部に昇降装置を係合し、この昇降装置により身体積載トレーを上昇させてトレー受け台から外す。次に、別のストレッチャ上で昇降装置により身体積載トレーを下降させ、別のストレッチャのトレー受け台に載置する。これにより、身体は身体積載トレーごとストレッチャ間で移し替えられる。
【０００８】
ここで、身体積載トレーは、解剖台上に載置可能であることが望ましい。これにより、身体としての遺体を解剖室用のストレッチャから解剖台上へ移し替える際には、同様に解剖室用のストレッチャに載置された身体積載トレーの係合部に昇降装置を係合し、この昇降装置により身体積載トレーをトレー受け台から外して上昇させ、解剖台上で昇降装置により身体積載トレーを下降させることで、遺体を身体積載トレーごと解剖台へ移し替えることが可能となる。
【０００９】
また、本発明の身体搬送装置は、昇降装置を含み、昇降装置は、昇降するアームと、身体積載トレーの係合部に係合されてアームに身体積載トレーを吊り下げる吊下体とを有するものであることが望ましい。これにより、身体積載トレーは昇降するアームに吊下体により吊り下げられて移し替えられるので、身体積載トレーの上方空間を確保するだけで移し替えが可能となる。
【００１０】
また、身体積載トレーの係合部は、身体積載トレーの周縁部に形成された穴であり、吊下体の下端部は、穴に係合可能なフックであることが望ましい。これにより、吊下体の下端部のフックを身体積載トレーの周縁部の穴に係合するだけで容易に身体積載トレーを移し替えることが可能となる。
【発明の効果】
【００１１】
（１）身体が積載される身体積載トレーであり、昇降装置に係合される係合部を有する身体積載トレーと、身体積載トレーが着脱可能に載置されるトレー受け台を有するストレッチャとを含む構成により、ストレッチャ間の身体の移し替え作業が軽減され、移し替え作業者の腰痛等を防止することができる。また、身体とともに身体積載トレーのみが搬送されるので、バイオハザードの危険性が低減される。
【００１２】
（２）身体積載トレーが、解剖台上に載置可能であることにより、身体としての遺体を身体積載トレーごと解剖台へ移し替えることが可能となり、この身体積載トレー上で遺体解剖を行うことが可能となる。また、遺体解剖後は、身体積載トレーを洗浄すれば良いため、後処理が容易となる。
【００１３】
（３）昇降装置が、昇降するアームと、身体積載トレーの係合部に係合されてアームに身体積載トレーを吊り下げる吊下体とを有するものであることにより、身体積載トレーの上方空間を確保するだけで移し替えが可能となる。また、移し替えの際に身体搬送トレーの下部を支持する必要がなく、吊下体のみが身体搬送トレーに接触するため、清掃が容易であり、バイオハザードの危険性が低減される。
【００１４】
（４）身体積載トレーの係合部が、身体積載トレーの周縁部に形成された穴であり、吊下体の下端部が、穴に係合可能なフックであることにより、吊下体の下端部のフックを身体積載トレーの周縁部の穴に係合するだけで容易に身体積載トレーを移し替えることが可能であり、作業性が向上する。
【図面の簡単な説明】
【００１５】
【図１】本発明の実施の形態における遺体搬送装置の正面図である。
【図２】図１の遺体搬送装置の平面図である。
【図３】図１の遺体搬送装置の右側面図である。
【図４】図１の遺体積載トレーを昇降装置に吊り下げた状態を示す正面図である。
【図５】図４の昇降装置の平面図である。
【図６】（ａ）は図４のＡ部拡大図、（ｂ）は図４のＡ部の背面図である。
【図７】図６（ａ）のＸ−Ｘ断面図である。
【図８】図１の遺体積載トレーを解剖台上に載置する様子を示す正面図である。
【図９】図１の遺体積載トレーを解剖台上に載置した状態を示す平面図である。
【発明を実施するための形態】
【００１６】
図１は本発明の実施の形態における遺体搬送装置の正面図、図２は図１の遺体搬送装置の平面図、図３は図１の遺体搬送装置の右側面図、図４は図１の遺体積載トレーを昇降装置に吊り下げた状態を示す正面図、図５は図４の昇降装置の平面図、図６（ａ）は図４のＡ部拡大図、（ｂ）は図４のＡ部の背面図、図７は図６（ａ）のＸ−Ｘ断面図、図８は図１の遺体積載トレーを解剖台上に載置する様子を示す正面図、図９は図１の遺体積載トレーを解剖台上に載置した状態を示す平面図である。
【００１７】
本発明の実施の形態における身体搬送装置としての遺体搬送装置は、図１〜図３に示すように身体としての遺体が積載される遺体積載トレー１、および、この遺体積載トレー１が着脱可能に載置されるストレッチャ２と、図４および図５に示すように遺体積載トレー１を昇降させる昇降装置３とから構成される。
【００１８】
遺体積載トレー１は、平面視で矩形状の底板１０と、底板１０の周縁に立設された３つの側壁１１とを有する。底板１０は中央部が上方に盛り上がった凸形状となっており、遺体積載トレー１上の洗浄液等は中央部に溜まらず、周縁部に流れるようになっている。また、底板１０の周縁の一辺（図示例では遺体の足下側）には側壁１１が設けられていないため、洗浄液等はこの側壁１１が設けられていない一辺側から遺体積載トレー１外へ排出することが可能となっている。
【００１９】
また、側壁１１には昇降装置３に係合される係合部としての穴１２が左右それぞれ２箇所に形成されている。それぞれの穴１２には、図６に示すように、この穴１２の直径よりも小さな幅で水平方向から垂直方向に至る略Ｌ字状の切欠部１３が形成されている。なお、遺体積載トレー１は、後述するように解剖台４（図８、図９参照。）上にも載置可能となっている。
【００２０】
ストレッチャ２は、遺体積載トレー１が着脱可能に載置されるトレー受け台２０と、トレー受け台２０を支持する４本の脚２１と、脚２１の下端部にそれぞれ設けられた車輪２２とを有する。トレー受け台２０は、平面視で矩形状の底板２３と、底板２３の周縁を囲んで立設された側壁２４とを有する。底板２３は、中央部が低くなるように形成されており、その中央部には洗浄液等を排出するための排出口（図示せず。）が設けられている。洗浄液等の排出の際には、この排出口にホースおよびタンクを接続して、洗浄液等を回収することが可能となっている。トレー受け台２０は、遺体積載トレー１が側壁２４内に収容される大きさとなっている。
【００２１】
昇降装置３は、台車３０と、台車３０上で昇降するアーム３１と、アーム３１に遺体積載トレー１を吊り下げる吊下体としての２本のワイヤ３２とを有する。台車３０は車輪３０ａ，３０ｂを備えており、後述するように遺体積載トレー１をアーム３１に吊り下げた状態で走行することが可能となっている。また、アーム３１の先端部には、ワイヤ３２の脱落を防止するためのストッパ３１ａが設けられている。
【００２２】
ワイヤ３２の両下端部はループ状となっており、図７に示すように、遺体積載トレー１の穴１２に係合可能なフック３３が連結されている。フック３３には前述の穴１２に形成された切欠部１３に侵入可能な外径のネック部３３ａが形成されている。また、フック３３の先端には、円板状のストッパ３４が設けられている。前述の穴１２は、このストッパ３４が挿通可能な大きさとなっている。
【００２３】
上記構成の遺体搬送装置では、遺体Ｂは遺体積載トレー１に積載された状態で外部用のストレッチャ２のトレー受け台２０に載置されて、このストレッチャ２により解剖室の前室や準備室等まで搬送されてくる。ここで、ストレッチャ２を昇降装置３のアーム３１の下方に移動、または昇降装置３をそのアーム３１の下方にストレッチャ２が配置されるように移動し、アーム３１を下降させる。
【００２４】
そして、このストレッチャ２上の遺体積載トレー１の穴１２に、図７に示すように昇降装置３のワイヤ３２のフック３３を挿入し、ネック部３３ａを切欠部１３に侵入させることにより係合する。そして、アーム３１を上昇させて、遺体積載トレー１をトレー受け台２０から外す。このとき、フック３３は、ネック部３３ａがＬ字状の切欠部１３の上端に嵌っているので、フック３３の係合が解けることはない。
【００２５】
続いて、昇降装置３をそのアーム３１の下方に解剖室用のストレッチャ２が配置されるように移動し、アーム３１を下降させて、このストレッチャ２のトレー受け台２０上に遺体積載トレー１を載置する。そして、フック３３を穴３４側へ移動し、取り外す。これにより、外部用のストレッチャ２から解剖室用のストレッチャ２への遺体Ｂの移し替えが完了する。そして、解剖室用のストレッチャ２にて遺体Ｂを遺体積載トレー１ごと解剖室内まで搬送する。
【００２６】
次に、解剖室内において、前述と同様に、ストレッチャ２を昇降装置２のアーム３１の下方に移動、または昇降装置２のアーム３１の下方にストレッチャ２が配置されるように昇降装置２を移動し、アーム３１を下降させ、昇降装置３のワイヤ３２のフック３３に遺体積載トレー１を係合し、アーム３１を上昇させて、遺体積載トレー１をトレー受け台２０から外す。
【００２７】
そして、図８に示すように昇降装置２をそのアーム３１の下方に解剖台４が配置されるように移動し、アーム３１を下降させて、解剖台４上に遺体積載トレー１を載置し、フック３３の係合を解く。これにより、解剖室用のストレッチャ２から図９に示すように解剖台４への遺体Ｂの移し替えが完了する。
【００２８】
以上のように、本実施形態における遺体搬送装置によれば、ストレッチャ２間の遺体Ｂの移し替え作業は軽減され、移し替え作業者の腰痛等を防止することができる。また、遺体Ｂとともに遺体積載トレー１のみが搬送されるので、バイオハザードの危険性が低減される。また、遺体Ｂを遺体積載トレー１ごと解剖台４上へ移し替えることが可能であるため、この遺体積載トレー１上で遺体解剖を行うことが可能である。また、遺体解剖後は、遺体積載トレーを洗浄すれば良いため、後処理が容易である。
【００２９】
また、この遺体搬送装置では、昇降装置３が、昇降するアーム３１と、遺体積載トレー１の穴１２に係合されてアーム３１に遺体積載トレー１を吊り下げるワイヤ３２により構成されるため、遺体積載トレー１の上方空間を確保するだけで移し替えが可能である。また、移し替えの際に遺体搬送トレー１の下部を支持する必要がなく、ワイヤ３２のみが遺体搬送トレー１に接触する構成であるため、清掃が容易であり、バイオハザードの危険性が低減される。
【００３０】
また、この遺体搬送装置では、ワイヤ３２の下端部のフック３３を遺体積載トレー１の周縁部の穴１２に係合するだけで容易に遺体積載トレー１を移し替えることが可能であり、移し替えの作業性が良い。また、昇降装置３による搬送中はストッパ３４により遺体積載トレー１の脱落が防止されるので、搬送時の作業性が良い。
【００３１】
なお、本実施形態では、身体としての遺体を外部から解剖室まで搬送するための遺体搬送装置について説明したが、同装置を身動きのできない患者の身体などを移し替えて搬送するための身体搬送装置として使用することも可能である。この身体搬送装置では、患者の身体に触れることなく移し替えて搬送することができるため、感染症予防にも好適である。
【産業上の利用可能性】
【００３２】
本発明の身体搬送装置は、遺体を外部から解剖室内へ搬送したり、身動きのできない患者を搬送したりするための装置として有用である。
【符号の説明】
【００３３】
１  遺体積載トレー
２  ストレッチャ
３  昇降装置
４  解剖台
２０  トレー受け台
３０  台車
３１  アーム
３２  ワイヤ
３３  フック
３４  ストッパ
【図１】
2012095732.tif 000003
【図２】
2012095732.tif 000004
【図３】
2012095732.tif 000005
【図４】
2012095732.tif 000006
【図５】
2012095732.tif 000007
【図６】
2012095732.tif 000008
【図７】
2012095732.tif 000009
【図８】
2012095732.tif 000010
【図９】
2012095732.tif 000011